(57)【要約】【課題】ムラが目立ちにくい状態で入射光が反射可能な反射状態と、入射光が透過する透過状態でかつ画像表示可能な表示装置を提供する。【解決手段】表示装置は、塗布型偏光層と、光学シートと、前面パネルと、表示パネルと、を含む。塗布型偏光層は、第１偏光方向と直交する第２偏光方向の直線偏光を吸収する。光学シートは、第１偏光方向の直線偏光を反射し、第２偏光方向の直線偏光を透過する。前面パネルは、入射した光の偏光方向を他の偏光方向に変換可能である。表示パネルは、前面パネルと重ね合わされている。【選択図】図１
2018169484.tif 000002
【特許請求の範囲】
【請求項１】
第１偏光方向と直交する第２偏光方向の直線偏光を吸収する塗布型偏光層と、
前記第１偏光方向の直線偏光を反射し、前記第２偏光方向の直線偏光を透過する光学シートと、
前記塗布型偏光層と前記光学シートとの間に配置され、印加電圧に応じて入射した光の偏光方向を他の偏光方向に変換可能な前面パネルと、
前記光学シートに対して、前記第２偏光方向の直線偏光を透過する偏光板を介して、前記前面パネルと重ね合わされた表示パネルと、を備える表示装置。
【請求項２】
前記前面パネルは、第１基板と、第２基板と、前記第１基板と前記第２基板と間にある液晶層と、を有する請求項１に記載の表示装置。
【請求項３】
前記塗布型偏光層が前記第２基板の液晶層と反対側の面にある請求項２に記載の表示装置。
【請求項４】
前記塗布型偏光層は、前記前面パネルと重ね合わされる第３基板にあり、前記塗布型偏光層が前記第２基板と、前記第３基板とに挟まれている請求項２に記載の表示装置。
【請求項５】
前記第３基板と、前記塗布型偏光層との間には、シクロオレフィンポリマーの基材層がある請求項４に記載の表示装置。
【請求項６】
前記第３基板の前記塗布型偏光層と反対側の面に、反射防止層がある請求項４又は請求項５に記載の表示装置。
【請求項７】
前記塗布型偏光層の偏光度は、０．８以上０．９６６未満である請求項１から請求項６のいずれか１項に記載の表示装置。
【請求項８】
第１偏光方向と直交する第２偏光方向の直線偏光を吸収し、かつ液晶材料と二色性色素とを有する偏光層と、
前記第１偏光方向の直線偏光を反射し、前記第２偏光方向の直線偏光を透過する光学シートと、
前記偏光層と前記光学シートとの間に配置され、印加電圧に応じて入射した光の偏光方向を他の偏光方向に変換可能な前面パネルと、
前記光学シートに対して、前記第２偏光方向の直線偏光を透過する偏光板を介して、前記前面パネルと重ね合わされた表示パネルと、を備える表示装置。
【発明の詳細な説明】
【技術分野】
【０００１】
本開示は、入射光が反射する反射状態と、入射光が透過する透過状態でかつ画像表示可能な表示装置に関する。
【背景技術】
【０００２】
特許文献１には、画像を表示する表示状態と、反射像が得られる鏡状態（反射状態）とに切り替え可能な装置が記載されている。
【先行技術文献】
【特許文献】
【０００３】
【特許文献１】特開２００５−１５７０３３号公報
【発明の概要】
【発明が解決しようとする課題】
【０００４】
ところで、一般的に、偏光板は、光の吸収が振動方向によって異なる二色性のあるヨウ素をポリビニールアルコール（以下、ＰＶＡ）のフィルムに吸着させ、一方向に延伸して分子の配向を一定方向に揃えることで、異方性を持たせている。
【０００５】
延伸された偏光板には、延伸に伴う厚みムラが生じる。入射光が反射する反射状態において、位置によって反射状態が異なり、色むらとして視認される可能性がある。
【０００６】
本開示は、ムラが目立ちにくい状態で入射光が反射可能な反射状態と、入射光が透過する透過状態でかつ画像表示可能な表示装置を提供することを目的とする。
【課題を解決するための手段】
【０００７】
本発明の一態様による表示装置は、第１偏光方向と直交する第２偏光方向の直線偏光を吸収する塗布型偏光層と、前記第１偏光方向の直線偏光を反射し、前記第２偏光方向の直線偏光を透過する光学シートと、前記塗布型偏光層と前記光学シートとの間に配置され、入射した光の偏光方向を他の偏光方向に変換可能な前面パネルと、前記光学シートに対して、前記第２偏光方向の直線偏光を透過する偏光板を介して、前記前面パネルと重ね合わされた表示パネルと、を備える。
【０００８】
本発明の他の態様による表示装置は、第１偏光方向と直交する第２偏光方向の直線偏光を吸収し、かつ液晶材料と二色性色素とを有する偏光層と、前記第１偏光方向の直線偏光を反射し、前記第２偏光方向の直線偏光を透過する光学シートと、前記偏光層と前記光学シートとの間に配置され、印加電圧に応じて入射した光の偏光方向を他の偏光方向に変換可能な前面パネルと、前記光学シートに対して、前記第２偏光方向の直線偏光を透過する偏光板を介して、前記前面パネルと重ね合わされた表示パネルと、を備える。
【図面の簡単な説明】
【０００９】
【図１】図１は、実施形態１の表示装置の構成の一例を示す斜視図である。
【図２】図２は、実施形態１の表示装置の断面図である。
【図３】図３は、実施形態１の表示装置の断面図である。
【図４】図４は、表示パネルの画素の大きさと、駆動電極の大きさとを模式的に比較して説明する説明図である。
【図５】図５は、実施形態１の表示装置を説明するためのブロック図である。
【図６】図６は、入射光が透過する透過状態でかつ画像表示可能な表示状態を説明するための模式図である。
【図７】図７は、入射光が反射する反射状態を説明するための模式図である。
【図８】図８は、塗布型偏光層の偏光度と、反射率との関係を説明するための説明図である。
【図９】図９は、実施形態２の表示装置の断面図である。
【図１０】図１０は、実施形態３の表示装置の断面図である。
【発明を実施するための形態】
【００１０】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。更に、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
（実施形態１）
図１は、実施形態１の表示装置の構成の一例を示す斜視図である。表示装置１００は、塗布型偏光層４と、前面パネル１と、光学シート５と、上側偏光板３１と、表示パネル２と、下側偏光板３２と、バックライト３とを備えている。図１において、表示パネル２の平面の一方向がＸ方向とされ、表示パネル２の平面においてＸ方向と直交する方向がＹ方向とされ、Ｘ−Ｙ平面に直交する方向がＺ方向とされている。Ｚ方向にみて表示パネル２が画像を表示する表示面（又は上面）がある側を表示面側（又は上面側）といい、Ｚ方向にみて表示面（又は上面）とは反対の背面（又は下面）がある側を背面側（又は下面側）という。
【００１２】
Ｚ方向にみて、表示パネル２の背面側には、下側偏光板３２と、バックライト３とが表示パネル２と重なり合う。
【００１３】
バックライト３は、表示パネル２に向けて光を出射する照明装置である。バックライト３は、例えば、光源と導光板とを有し、光源から出射された光を導光板で散乱させつつ、表示パネル２と対面する出射面から光を出射する。
【００１４】
Ｚ方向において、表示パネル２の表示面側には、塗布型偏光層４と、前面パネル１と、光学シート５と、上側偏光板３１と、がこの順に表示パネル２と重なり合う。
【００１５】
図２は、実施形態１の表示装置の断面図である。図２は、画像が表示されている表示状態の表示装置１００を示す図である。図３は、実施形態１の表示装置の断面図である。図３は、入射光が反射する反射状態の表示装置１００を示す図である。図２及び図３の断面は、図１に示すＩＩ−ＩＩの模式的な断面である。
【００１６】
図２、図３に示すように、表示パネル２は、いわゆる液晶表示装置である。表示パネル２は、透光性の基板２１と、透光性の基板２２と、基板２１と基板２２との間に封止層２３で封止された液晶層２９とを備えている。
【００１７】
液晶層２９は、電界の状態に応じて、液晶層２９を通過する光を変調するものである。液晶層２９は、本実施形態においては、例えば、ＦＦＳ（フリンジフィールドスイッチング）又はＩＰＳ（インプレーンスイッチング）等の横電界モードが用いられるが、これに限定されるものではなく、縦電界モードを用いてもよい。例えば、ＴＮ（Ｔｗｉｓｔｅｄ  Ｎｅｍａｔｉｃ：ツイステッドネマティック）、ＶＡ（Ｖｉｒｔｉｃａｌ  Ａｌｉｇｎｍｅｎｔ：垂直配向）、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折）等の各種モードの液晶を用いてもよい。
【００１８】
図４は、表示パネルの画素の大きさと、駆動電極の大きさとを模式的に比較して説明する説明図である。表示パネル２は、画像を表示する。表示パネル２は、図４に示すように多数の画素Ｐｉｘが二次元配列で配置されている。表示パネル２は、バックライト３（図１参照）から出射された光が入射する。表示パネル２は、各画素Ｐｉｘに入射される光を透過率を変えることで、画像を表示させる。
【００１９】
実施形態１の表示装置１００は、モノクロ表示対応の表示装置及びカラー表示対応の表示装置のいずれにも適用できる。カラー表示対応の表示装置１００とした場合、カラー画像を形成する単位となる１つの画素Ｐｉｘ（単位画素）が、複数の副画素（サブピクセル）を含むことになる。より具体的には、カラー表示対応の表示装置では、１つの画素は、例えば、赤色（Ｒｅｄ；Ｒ）を表示する副画素、緑色（Ｇｒｅｅｎ；Ｇ）を表示する副画素及び青色（Ｂｌｕｅ；Ｂ）を表示する副画素の３つの副画素を含む。
【００２０】
１つの画素は、ＲＧＢの３原色の副画素の組み合わせに限定されず、ＲＧＢの３原色の副画素に更に１色又は複数色の副画素を加えて１つの画素を構成することも可能である。より具体的には、例えば、輝度向上のために白色（Ｗｈｉｔｅ；Ｗ）を表示する副画素を加えて１つの画素を構成したり、色再現範囲を拡大するために補色を表示する少なくとも１つの副画素を加えて１つの画素を構成したりすることも可能である。
【００２１】
図２及び図３に示す基板２１の液晶層２９側には、マトリクス状に配置された複数の画素電極２５と、共通電極２４と、がある。画素電極２５と共通電極２４とは、絶縁層２６で絶縁され、基板２１の表面に垂直なＺ方向において、対向している。画素電極２５及び共通電極２４は、ＩＴＯ（Ｉｎｄｉｕｍ  Ｔｉｎ  Ｏｘｉｄｅ）等の透光性導電材料（透光性導電酸化物）で形成される透光性電極である。基板２１は、ガラスなどの透光性基板である。基板２１の液晶層２９側には、積層された配向膜がある（図示省略）。基板２１の液晶層２９とは反対側には、下側偏光板３２が配置されている。
【００２２】
図２及び図３に示す基板２２の液晶層２９側には、カラーフィルタ（図示省略）があり、このカラーフィルタの液晶層側に形成される配向膜（図示省略）がある。カラーフィルタは、例えば、赤（Ｒ）、緑（Ｇ）、青（Ｂ）の３色に着色された色領域を含む。基板２２の液晶層２９とは反対側には、上側偏光板３１が配置されている。
【００２３】
表示パネル２は、ドライバＩＣとよばれる駆動回路２７を備えている。フレキシブルプリント基板（ＦＰＣ（Ｆｌｅｘｉｂｌｅ  Ｐｒｉｎｔｅｄ  Ｃｉｒｃｕｉｔｓ））２７は、駆動回路２８への信号又は駆動回路２７を駆動する駆動電力を伝送する。
【００２４】
図２、図３に示すように、前面パネル１は、第１基板１１と、第２基板１２と、第１
基板１１と第２基板１２との間に封止層１３で封止された液晶層１９とを備えている。第１基板１１及び第２基板１２は、ガラスなどの透光性基板である。
【００２５】
液晶層１９は、電界の状態に応じて、液晶層１９を通過する入射した光の偏光方向を変換可能なように変調するものである。液晶層１９は、本実施形態においては、例えば、ＴＮ（Ｔｗｉｓｔｅｄ  Ｎｅｍａｔｉｃ：ツイステッドネマティック）モードが用いられる。
【００２６】
図２及び図３に示す第１基板１１の液晶層１９側には、図４に示すマトリクス状の画素Ｐｉｘ全体の領域以上の大きさを有する駆動電極１４がある。第２基板１２の液晶層１９側には、図４に示すマトリクス状の画素Ｐｉｘ全体の領域以上の大きさを有する固定電位電極１５がある。第１基板１１は、配向膜（不図示）を介して、配向膜に接する液晶層１９の液晶配向を一方向にしている。同様に、第２基板１２は、配向膜（不図示）を介して、配向膜に接する液晶層１９の液晶配向を、第１基板１１に接する液晶配向と異なる方向にしている。駆動電極１４と固定電位電極１５とは、第１基板１１の表面に垂直なＺ方向において、対向している。駆動電極１４及び固定電位電極１５は、ＩＴＯ（Ｉｎｄｉｕｍ  Ｔｉｎ  Ｏｘｉｄｅ）等の透光性導電材料（透光性導電酸化物）で形成される透光性電極である。
【００２７】
図２及び図３に示すように、前面パネル１には、入射光又は表示パネル２からの光が透過する透過領域１０と、透過領域１０の周囲を遮光する遮光膜９１で透過領域より光透過率の低い額縁領域１０Ｆとがある。図４に示すように、透過領域１０の面積は、全画素Ｐｉｘが配置された表示領域と同じ面積である。
【００２８】
前面パネル１は、ドライバＩＣとよばれる駆動回路１７を備えている。フレキシブルプリント基板（ＦＰＣ（Ｆｌｅｘｉｂｌｅ  Ｐｒｉｎｔｅｄ  Ｃｉｒｃｕｉｔｓ））１８は、駆動回路１７への信号又は駆動回路１７を駆動する駆動電力を伝送する。
【００２９】
第２基板１２の液晶層１９とは反対側には、シクロオレフィンポリマーの基材層６４がある。基材層６４の表示面側は、ラビング処理がされ、特定の配向が付与されている。
【００３０】
塗布型偏光層４は、基材層６４の表示面側に形成されている。言い換えると、塗布型偏光層４は、第２基板１２の液晶層１９とは反対側の面にある。塗布型偏光層４は、液晶材料と二色性色素とが混合された偏光層である。基材層６４に付与された特定配向に沿って、液晶材料が自己配向することで、二色性色素も一方向に配向し、塗布型偏光層４は、第１偏光方向と直交する第２偏光方向の直線偏光を吸収する。
【００３１】
光学シート５において、第１偏光方向の直線偏光が反射され、偏光方向が第２方向の直線偏光が透過される。光学シート５は、反射型偏光板ともよばれる。
【００３２】
図５は、実施形態１の表示装置を説明するためのブロック図である。制御部９は、例えば、演算装置であるＣＰＵ（Ｃｅｎｔｒａｌ  Ｐｒｏｃｅｓｓｉｎｇ  Ｕｎｉｔ）と、記憶装置であるメモリとを備えたコンピュータである。制御部９は、これらのハードウェア資源を用いてコンピュータプログラムを実行することによって各種の機能を実現することもできる。具体的には、制御部９は、所定の記憶部（図示せず）に記憶されているコンピュータプログラムを読み出してメモリに展開し、メモリに展開されたプログラムに含まれる命令をＣＰＵに実行させる。
【００３３】
そして、制御部９は、ＣＰＵによる命令の実行結果に応じて、バックライト３の点灯及び消灯並びに点灯時の光量及び光の強度を制御する。また、制御部９は、ＣＰＵによる命令の実行結果に応じて、表示パネル２に表示させる画像信号を、フレキシブルプリント基板２８を介して駆動回路２７へ伝送し、駆動回路２７が表示パネル２に画像を表示させる。また、制御部９は、ＣＰＵによる命令の実行結果に応じて、表示状態の指令信号を、フレキシブルプリント基板１８を介して駆動回路１７へ伝送し、駆動回路１７が駆動電極１４に電圧を印加しない状態にする。又は、制御部９は、ＣＰＵによる命令の実行結果に応じて、反射状態の指令信号を、フレキシブルプリント基板１８を介して駆動回路１７へ伝送し、駆動回路１７が駆動電極１４に電圧を印加する状態にする。
【００３４】
図６は、入射光が透過する透過状態でかつ画像表示可能な表示状態を説明するための模式図である。図６に示すように、塗布型偏光層４は、第１偏光方向ＰＡ１と直交する第２偏光方向ＰＡ２の直線偏光を吸収する。
【００３５】
第１偏光方向ＰＡ１の直線偏光が塗布型偏光層４を透過し、前面パネル１に入射する。前面パネル１において、図２に示すように、駆動回路１７が駆動電極１４に電圧を印加しない状態になっている。これにより、前面パネル１において、塗布型偏光層４から入射した第１偏光方向ＰＡ１の直線偏光を第２偏光方向ＰＡ２の直線偏光に変換して、光学シート５へ出射する。
【００３６】
ここで、表示パネル２が画像を表示すると、塗布型偏光層４、前面パネル１、光学シート５が、第２偏光方向ＰＡ２の直線偏光に対してシャッターを開けた状態となり、画像を視認し易くする。
【００３７】
光学シート５において、前面パネル１から入射した第２偏光方向ＰＡ２の直線偏光が透過する。上側偏光板３１は、第２偏光方向ＰＡ２の直線偏光を透過する。このように、塗布型偏光層４の表示面側より、表示パネル２の画像が視認可能である。
【００３８】
表示パネル２は、上側偏光板３１を介して、第２偏光方向ＰＡ２の直線偏光により、画像を出射する。
【００３９】
光学シート５において、表示パネル２から入射した第２偏光方向ＰＡ２の直線偏光が透過する。
【００４０】
前面パネル１において、光学シート５から入射した第２偏光方向ＰＡ２の直線偏光を第１偏光方向ＰＡ１の直線偏光に変換して、塗布型偏光層４へ出射する。
【００４１】
第１偏光方向ＰＡ１の直線偏光が塗布型偏光層４を透過し、塗布型偏光層４の表示面側に画像として出射する。
【００４２】
図７は、入射光が反射する反射状態を説明するための模式図である。図７に示すように、塗布型偏光層４は、第１偏光方向ＰＡ１と直交する第２偏光方向ＰＡ２の直線偏光を吸収する。
【００４３】
第１偏光方向ＰＡ１の直線偏光が塗布型偏光層４を透過し、前面パネル１に入射する。前面パネル１において、図３に示すように、駆動回路１７が駆動電極１４に電圧を印加する状態になっている。これにより、前面パネル１において、塗布型偏光層４から入射した第１偏光方向ＰＡ１の直線偏光を第１偏光方向ＰＡ１の直線偏光のまま、光学シート５へ出射する。
【００４４】
光学シート５において、前面パネル１から入射した第１偏光方向ＰＡ１の直線偏光が反射される。
【００４５】
光学シート５で反射された第１偏光方向ＰＡ１の直線偏光が前面パネル１に入射する。前面パネル１において、光学シート５から入射した第１偏光方向ＰＡ１の直線偏光を第１偏光方向ＰＡ１の直線偏光のまま、塗布型偏光層４へ出射する。
【００４６】
前面パネル１からの第１偏光方向ＰＡ１の直線偏光が塗布型偏光層４を透過し、塗布型偏光層４の表示面側からみると、塗布型偏光層４の表示面側の像が鏡面のように表示される。
【００４７】
ここで、表示パネル２が画像を表示しても、塗布型偏光層４、前面パネル１、光学シート５が、第２偏光方向ＰＡ２の直線偏光に対してシャッターを閉めた状態となり、画像を視認し難くする。
【００４８】
表示パネル２は、上側偏光板３１を介して、第２偏光方向ＰＡ２の直線偏光により、画像を出射する。
【００４９】
光学シート５において、表示パネル２から入射した第２偏光方向ＰＡ２の直線偏光が透過する。
【００５０】
前面パネル１において、光学シート５から入射した第２偏光方向ＰＡ２の直線偏光を第２偏光方向ＰＡ２の直線偏光のまま、塗布型偏光層４へ出射する。
【００５１】
第２偏光方向ＰＡ２の直線偏光が塗布型偏光層４で吸収され、塗布型偏光層４の表示面側に画像が視認し難くなる。
【００５２】
以上説明したように、表示装置１００は、塗布型偏光層４と、光学シート５と、前面パネル１と、上側偏光板３１と、表示パネル２と、を備えている。塗布型偏光層４は、第１偏光方向ＰＡ１と直交する第２偏光方向ＰＡ２の直線偏光を吸収する。光学シート５は、第１偏光方向ＰＡ１の直線偏光を反射し、第２偏光方向ＰＡ２の直線偏光を透過する。前面パネル１は、印加電圧に応じて、入射した光の偏光方向を他の偏光方向に変換可能である。そして、前面パネル１は、塗布型偏光層４と光学シート５との間に配置されている。表示パネル２は、光学シート５に対して、第２偏光方向ＰＡ２の直線偏光を透過する上側偏光板３１を介して、前面パネル１とＺ方向に重ね合わされている。これにより、表示装置１００は、図２及び図６に示す画像を表示する表示状態と、図３及び図７に示す反射像が得られる鏡状態（反射状態）とに切り替え可能である。
【００５３】
前面パネル１は、表示パネル２よりも観察者側にある。前面パネル１は、入射した第１偏光方向ＰＡ１の直線偏光を第２偏光方向ＰＡ２の直線偏光に変換して出射する第１前面パネル状態と、入射した第１偏光方向ＰＡ１の直線偏光を第１偏光方向ＰＡ１の直線偏光のまま、出射する第２前面パネル状態とのどちらかに、駆動回路１７が駆動電極１４に電圧を印加する状態に応じて切り替えることが可能なパネルである。
【００５４】
塗布型偏光層４は、ヨウ素を含有しない。ヨウ素は、可視光の短波長側の波長を吸収する性質を有している。塗布型偏光層４の代わりに、一般的なヨウ素をＰＶＡのフィルムに吸着させ、一方向に延伸して分子の配向を一定方向に揃える偏光板を用いて、図７に示す反射像が得られる鏡状態（反射状態）とした場合、反射像の短波長側の波長がヨウ素に吸収され、白色度が緑味を帯び、反射像が色ずれしてしまう可能性がある。これに対し、実施形態１の表示装置１００は、ヨウ素に比して塗布型偏光層４で反射像の短波長側の波長が吸収されにくく、白色度がニュートラルに近くなる。
【００５５】
塗布型偏光層４の代わりに、一般的なヨウ素をＰＶＡのフィルムに吸着させ、一方向に延伸して分子の配向を一定方向に揃える偏光板を用いて、図７に示す反射像が得られる鏡状態（反射状態）とした場合、偏光板の延伸により、表面の平滑性が悪く、反射像にムラを生じる可能性がある。これに対して、実施形態１の表示装置１００は、延伸されない塗布型偏光層４を使用している。このため、塗布型偏光層４の表面に平滑性があるので、反射像のムラが抑制される。
【００５６】
図８は、塗布型偏光層の偏光度と、反射率との関係を説明するための説明図である。図８において、横軸が偏光度であり、第１縦軸が図７に示す反射時の反射率であり、第２縦軸が図６に示す透過時の反射率である。
【００５７】
一般的に、図７に示す反射時において、反射率は高い方がよい。自動車のミラーとしては、反射率４０％を越えることが理想的である。図８に示すシュミレーションデータによれば、反射率４０％を十分に超えるには偏光度が０．９６６よりも低くする必要がある。
【００５８】
また、図６に示す透過時において、反射率は低い方がよい。表示装置１００の透過率の１／１０の目安が反射率８％であり、反射率８％以下とすることが望ましい。図８に示すシュミレーションデータによれば、偏光度を下げると、図６に示す透過時の反射率が増加してしまう。このため、反射率８％以下とするには、偏光度が０．８以上であることが望ましい。
【００５９】
以上説明したように、塗布型偏光層の偏光度が０．８以上０．９６６未満であると、図７に示す反射時において反射率が高く、図６に示す透過時の反射率が抑制される。
【００６０】
（実施形態２）
図９は、実施形態２の表示装置の断面図である。図９は、画像が表示されている表示状態の表示装置１００を示す図である。図９の断面は、図１に示すＩＩ−ＩＩの模式的な断面である。なお、実施形態１で説明した構成要素については、同じ符号を付して、説明を省略する。塗布型偏光層４の表面が柔らかく、耐久性を向上させるためには、表面を保護することが望ましい。また、塗布型偏光層４には、直接反射防止層を積層することが難しい。
【００６１】
図９に示すように、第２基板１２の表示面側には、カバー基板６１が配置されている。カバー基板６１は、透光性の樹脂基板であり、例えば、セルローストリアセテートフィルムである。カバー基板６１の前面パネル１側（背面側）は、ラビング処理がされ、特定の配向が付与されている。
【００６２】
塗布型偏光層４は、カバー基板６１の背面側に形成されている。カバー基板６１に付与された特定配向に沿って、液晶材料が自己配向することで、二色性色素も一方向に配向し、塗布型偏光層４は、第１偏光方向と直交する第２偏光方向ＰＡ２の直線偏光を吸収する。
【００６３】
カバー基板６１の表示面側には、反射防止層６２がある。反射防止層６２と、塗布型偏光層４とは、カバー基板６１の異なる面にあるので、反射防止層６２の成膜には問題がない。
【００６４】
第２基板１２の表示面側と、塗布型偏光層４とは、透光性の光学樹脂層４１で接着されている。
【００６５】
実施形態２の表示装置１００において、塗布型偏光層４は、前面パネル１と重ね合わされるカバー基板６１にあり、塗布型偏光層４が第２基板１２と、カバー基板６１とに挟まれている。これにより、塗布型偏光層４は、カバー基板６１に保護される。このため、実施形態２の表示装置１００は、耐久性が向上する。
【００６６】
（実施形態３）
図１０は、実施形態３の表示装置の断面図である。図１０は、画像が表示されている表示状態の表示装置１００を示す図である。図１０の断面は、図１に示すＩＩ−ＩＩの模式的な断面である。なお、実施形態１及び実施形態２で説明した構成要素については、同じ符号を付して、説明を省略する。塗布型偏光層４の表面が柔らかく、耐久性を向上させるためには、表面を保護することが望ましい。また、塗布型偏光層４には、直接反射防止層を積層することが難しい。
【００６７】
図１０に示すように、第２基板１２の表示面側には、カバー基板６３が配置されている。カバー基板６３は、透光性のガラス基板である。カバー基板６３の前面パネル１側（背面側）は、シクロオレフィンポリマーの基材層６４がある。基材層６４の表示面側は、ラビング処理がされ、特定の配向が付与されている。
【００６８】
塗布型偏光層４は、基材層６４の表示面側に形成されている。塗布型偏光層４は、液晶材料と二色性色素とが混合された混合材料の層である。基材層６４に付与された特定配向に沿って、液晶材料が自己配向することで、二色性色素も一方向に配向し、塗布型偏光層４は、第１偏光方向と直交する第２偏光方向ＰＡ２の直線偏光を吸収する。
【００６９】
カバー基板６３の表示面（カバー基板６３の塗布型偏光層４と反対側の面）側には、反射防止層６２がある。反射防止層６２と、塗布型偏光層４とは、カバー基板６３の異なる面にあるので、反射防止層６２の成膜には問題がない。
【００７０】
第２基板１２の表示面側と、塗布型偏光層４とは、透光性の光学樹脂層４１で接着されている。
【００７１】
実施形態３の表示装置１００において、塗布型偏光層４は、前面パネル１と重ね合わされるカバー基板６３にあり、塗布型偏光層４が第２基板１２と、カバー基板６３とに挟まれている。これにより、塗布型偏光層４は、カバー基板６３に保護される。このため、実施形態３の表示装置１００は、耐久性が向上する。
【００７２】
実施形態３の表示装置１００において、カバー基板６３と、塗布型偏光層４との間には、シクロオレフィンポリマーの基材層６４がある。これにより、塗布型偏光層４の第２偏光方向ＰＡ２の直線偏光に対する吸収能を確保することができる。
【００７３】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。例えば、上述した実施形態に係る塗布型偏光層４と、光学シート５と、前面パネル１と、上側偏光板３１と、表示パネル２と、の間には、本実施形態において述べた態様によりもたらされる作用を阻害しない、透光性の光学樹脂、各種フィルムがあってもよい。
【００７４】
また、本実施形態において述べた態様によりもたらされる他の作用効果について本明細書記載から明らかなもの、又は当業者において適宜想到し得るものについては、当然に本発明によりもたらされるものと解される。
【符号の説明】
【００７５】
１  前面パネル
２  表示パネル
３  バックライト
４  塗布型偏光層
５  光学シート
９  制御部
１０  透過領域
１０Ｆ  額縁領域
１１  第１基板
１２  第２基板
１３、２３  封止層
１４  駆動電極
１５  固定電位電極
１７、２７  駆動回路
１８  フレキシブルプリント基板
１９  液晶層
２１、２２  基板
２４  共通電極
２５  画素電極
２６  絶縁層
２８  フレキシブルプリント基板
２９  液晶層
３１  上側偏光板
３２  下側偏光板
４１  光学樹脂層
６１、６３  カバー基板
６２  反射防止層
６４  基材層
９１  遮光膜
１００  表示装置
ＰＡ１  第１偏光方向
ＰＡ２  第２偏光方向
Ｐｉｘ  画素
【図１】
2018169484.tif 000003
【図２】
2018169484.tif 000004
【図３】
2018169484.tif 000005
【図４】
2018169484.tif 000006
【図５】
2018169484.tif 000007
【図６】
2018169484.tif 000008
【図７】
2018169484.tif 000009
【図８】
2018169484.tif 000010
【図９】
2018169484.tif 000011
【図１０】
2018169484.tif 000012